(57)【要約】【課題】装飾性が高く衝撃への耐久性が高い内装パネルを、容易に交換すること。【解決手段】建物の内装となるパネル部10と、パネル部10の裏面に接着しパネル部10を補強する補強紙20と、パネル部10の裏面を貼付するための面ファスナー30とを有し、面ファスナー30は、補強紙20に形成された溝21の内部に配設されることを特徴とする内装パネルＰ。【選択図】図１
2007056517.tif 000002
【特許請求の範囲】
【請求項１】
建物の内装となるパネル部と、
前記パネル部の裏面に接着し該パネル部を補強する補強紙と、
前記パネル部の裏面を貼付するための面ファスナーとを有し、
前記面ファスナーは、前記補強紙に形成された溝の内部に配設されることを特徴とする内装パネル。
【請求項２】
請求項１に記載の内装パネルの面ファスナーの接着層を壁面に対して当接させることで、前記内装パネルを前記壁面に取付けてなることを特徴とする内装パネルの取付構造。
【発明の詳細な説明】
【技術分野】
【０００１】
本発明は、交換可能な建物の内装パネル及び当該内装パネルの取付構造に関するものである。
【背景技術】
【０００２】
従来、建物の内壁に貼り付けて内装を形成するパネルがある（例えば、特許文献１参照）。特許文献１に記載のパネルは、タイルの裏面にポリウレタン等の粘着体を部分的に付けることで、パネルを内壁に粘着固定させる構成となっている。
【０００３】
【特許文献１】特開２００１−２９５４４９
【発明の開示】
【発明が解決しようとする課題】
【０００４】
しかしながら、タイルの重量を支持するためには、粘着体の量を多くしなければならない。このため、特許文献１のようにタイルの裏面に直接粘着体を付帯する構成とした場合には、粘着体の厚みが厚くなり、タイルと内壁との間に隙間が空く。このように隙間が空くと、まず、内壁にタイルを装着した後の厚みが厚くなり、装飾性を低くするおそれがある。また、外部から衝撃が加わった場合に、粘着体と粘着体との間の部分でタイルの割れが生じるおそれがある。
【０００５】
また、粘着体は一度使用すると粘着力が低下するため、タイル表面が汚れた場合、タイルを外して清掃し再び貼り付けるというような、何度も貼りなおす使用方法には適さない。また、交換する場合にタイルを外し、タイル側の粘着体の一部が内壁面に残留する場合がある。この場合、その上からは新たなタイルを貼り付けることができない。この場合には、残留した粘着体を除去してから新たなタイルを貼り付けねばならず、交換作業に手間がかかるといった問題もある。
【０００６】
そこで本発明の目的は、装飾性が高く衝撃への耐久性が高い内装パネルを、容易に交換することである。
【課題を解決するための手段】
【０００７】
本発明の内装パネルは、建物の内装となるパネル部と、前記パネル部の裏面に接着し該パネル部を補強する補強紙と、前記パネル部の裏面を貼付するための面ファスナーとを有し、前記面ファスナーは、前記補強紙に形成された溝の内部に配設されることを特徴とする内装パネルである。
【０００８】
本発明の内装パネルの取付構造は、前記内装パネルの面ファスナーの接着層を壁面に対して当接させることで、前記内装パネルを前記壁面に取付けてなることを特徴とする内装パネルの取付構造である。
【発明の効果】
【０００９】
本発明に係る内装パネルは、補強紙に形成された溝の内部に面ファスナーを配設する構成である。このため、まず、粘着材を使用せず面ファスナーを使用することで内装パネルの厚みを薄くすることができ、装飾性を高めることができる。また、面ファスナーが緩衝材となることで内装パネルの割れを防止し、耐久性を高めることができる。また、面ファスナーを使用することで、粘着材のように糊残りなどの問題が発生せず、容易に交換することができる。
【００１０】
本発明に係る内装パネルの取付構造は、内装パネルに配設される面ファスナーの裏面の接着層を当接させることで壁面に設置する。このため、面ファスナーは互いに係合した状態で、内装パネルが壁面に設置されることとなる。このような構造であるため、内装パネル側のファスナー材層と壁面側のファスナー材層とが確実に係合された状態で壁面に設置され、内装パネルは確実に壁面に取付けられることとなる。
【発明を実施するための最良の形態】
【００１１】
図を用いて本発明の一実施形態を具体的に説明する。図１は内装パネルＰの斜視図であり、図２は内装パネルＰを壁面Ｗに取付ける状態の側面図であり、図３は内装パネルＰを交換するときの状態説明図であり、図４は本実施形態と従来例とを比較した側面図である。
【００１２】
（内装パネルＰの構成）
図１に示すように、本実施形態の内装パネルＰは、表面に模様が形成されたパネル部10と、パネル部10の裏面の略全面に補強紙20と、内装パネルＰを壁面Ｗに貼り付けるための面ファスナー30と、を有する。
【００１３】
パネル部10は、表面に模様が形成され、建物の内装となる。材質は特に限定するものではないが、木材、プラスチック樹脂、陶器、コンクリート等を用いることができ、調湿機能、臭いの吸着機能等、建物内部の環境を調節する機能を付することもできる。
【００１４】
補強紙20は、軽量で硬いパネル部10の場合、強度を保つためにパネル部10の裏面の略全面に貼付される。これにより、運搬中、施工中及び設置後のパネル部10の割れや欠け等のおそれを低減することができる。
【００１５】
また、補強紙20には、面ファスナー30を固定する部分に溝21が形成される。溝21の深さは、面ファスナー30のファスナー材層32が補強紙20よりも裏面側に若干突出する程度の深さにすることが好ましい。ファスナー材層32の貼付機能を十分に発揮しつつ、内装パネルＰの厚みを薄くすることができるからである。
【００１６】
尚、本実施形態においては、補強紙20に溝21を形成して、溝21の窪んだ箇所にパネル側接着層31を接着したが、これに限るものではない。即ち、補強紙20をくり抜いて、面ファスナー30のパネル側接着層31を直接、パネル部10の裏面に接着させる構成としてもよい。
【００１７】
面ファスナー30は、無数の微細な係合により、互いに貼り合わされる貼付手段である。図１の拡大断面図に示すように、面ファスナー30は、パネル部10側から、粘着材で構成されるパネル側接着層31、ファスナー材層32、ファスナー材層33、壁側接着層34、離型層35によって構成される。
【００１８】
面ファスナー30として内装パネルＰに貼り付けられた初期状態においては、図１（ａ）に示すように、面ファスナー30はパネル側接着層31から離型層35まで全てを有する構成である。一方、使用状態においては、図１（ｂ）に示すように、離型層35を剥がして壁側接着層34を壁面に貼付する。詳細については後述する。
【００１９】
（内装パネルＰの取付構造）
図１及び図２を用いて内装パネルＰの取付構造について説明する。
【００２０】
まず、図１（ｂ）及び図２（ａ）に示すように、内装パネルＰ裏面の面ファスナー30における離型層35を剥がす。これにより、壁側接着層34が露出する。
【００２１】
次に、図２（ｂ）に示すように、壁面Ｗの所望の場所に内装パネルＰを押圧する。これにより、壁側接着層34が壁面Ｗに対して粘着し、内装パネルＰが壁面Ｗに対して取付けられる。
【００２２】
また、図２（ｃ）に示すように、内装パネルＰの交換時には、内装パネルＰを壁面Ｗから離す。すると、ファスナー材層32とファスナー材層33との間の係合が外れ、内装パネルＰを壁面Ｗから容易に離間させることができる。ここで、面ファスナー30のうちファスナー材層33は壁側接着層34の粘着力により壁面Ｗに貼付されたままになる。
【００２３】
新たな内装パネルＰに交換し、壁面Ｗに設置する場合には、次のように行う。
【００２４】
まず、図３に示すように、内装パネルＰの面ファスナー30のうち、離型層35のみならず、ファスナー材層33までも剥がす。これにより、ファスナー材層32が露出する。
【００２５】
次に、図３に示すように、内装パネルＰのファスナー材層32が露出した状態で、ファスナー材層32と交換時に壁面Ｗに貼付されているファスナー材層33とが重なるように、内装パネルＰを壁面Ｗ方向に押圧する。すると、ファスナー材層32とファスナー材層33とが係合し、新たな内装パネルＰが壁面Ｗに設置されることとなる。
【００２６】
（内装パネルＰの作用・効果）
以上のような内装パネルＰの構成、内装パネルＰの取付構造によって、次のような作用及び効果が得られる。
【００２７】
まず、耐久性面で次のような作用効果を得ることができる。
【００２８】
内装パネルＰは、パネル部10の裏面に補強紙20が略全面に貼付されている。このため、パネル部10が軽量で薄い素材であっても、割れや欠けといった問題を低減することができる。
【００２９】
補強紙20の面ファスナー30を設置する位置に溝21を形成した。すると、パネル部10と壁面Ｗとの隙間を少なくすることができる。パネル部10と壁面Ｗとの隙間を少なくすると、外部から衝撃が加わった場合でも、パネル部10が撓んで壁面Ｗに当接しやすくなる。パネル部10が壁面Ｗに当接すると、パネル部10の撓みはそれ以上大きくならないため、撓みすぎることによる割れが起こりにくくなる。また、前記隙間が少なくなると、パネル部10が広い面積で内装パネルＰに当接し、パネル部10に加わる単位面積あたりの圧力を和らげることができ、割れ等の問題を更に低減することができる。
【００３０】
内装パネルＰは壁面Ｗへの貼付手段として面ファスナー30を用いている。面ファスナーは、微細な係合により構成されているため、衝撃に対する緩衝作用がある。このため、外部から衝撃が加わったとしても、内装パネルＰと壁面Ｗとの間に介在する面ファスナー30が衝撃力を緩衝し、割れ等の問題を更に低減することができる。
【００３１】
次に、取付性、交換性の面で次のような作用効果を得ることができる。
【００３２】
内装パネルＰは、貼付手段として面ファスナー30を用いている。面ファスナー30は上述のように無数の係合により貼付されるため、粘着材と異なり、糊残りの問題が発生せず、また貼付するための力が劣化するおそれが非常に少ない。このため、何度でも貼り替えることができ、取付性や交換性に優れている。
【００３３】
内装パネルＰは、複数のパネルを上下左右に連続して設置することで内装を成すものである。このため、１つの内装パネルＰは軽量かつ小さいため、持ち運びに便利で、取付け・交換も容易である。
【００３４】
内装パネルＰの面ファスナー30は、予めファスナー材層32及びファスナー材層33を係合した状態で構成される。このため、内装パネルＰを初めて壁面Ｗに設置するときには、確実にファスナー材層32とファスナー材層33とが係合する。
【００３５】
また、内装パネルＰを新たに交換する場合であっても、ファスナー材層32とファスナー材層33との間隔は同様であるため、確実に係合する。このように、内装パネルＰ側のファスナー材層32と壁面Ｗ側のファスナー材層33とが確実に係合する構成であるため、粘着材を塗る位置等を考慮しなくともよく、取付・交換を容易に行うことができる。
【００３６】
本実施形態の内装パネルＰは、面ファスナー30を取付ける溝21の位置を、パネル部10の端部よりも内側にしている。これにより、内装パネルＰを壁面Ｗから離間する作業を容易に行うことができる。これは、内装パネルＰを壁面Ｗから離間させる際には、パネル部10の端部から工具を入れて離間させるが、面ファスナー30が内側にあることで、内装パネルＰの端部に隙間が形成され、当該隙間から前記工具を入れることが可能であるからである。
【００３７】
最後に、装飾性の面で次のような作用効果を得ることができる。
【００３８】
内装パネルＰに使用する面ファスナー30は、同じせん断力を有する粘着材よりも薄い。このため、内装パネルＰの厚みを薄くすることができる。また、面ファスナー30を設置する補強紙20に溝21を形成した。このため、内装パネルＰ全体の構成を更に薄くすることができ、壁面Ｗに内装パネルＰを設置した後の厚みが薄くなり、装飾性を高くすることができる。
【００３９】
また、貼付手段として面ファスナー30を用いることで、内装パネルＰと壁面Ｗとの隙間を小さくし、釘Ｎ等を打つ場合の強度を高めることができる。この状態を図４に示す。図４（ａ）は本実施形態の内装パネルＰと壁面Ｗとの関係を示す図で、図４（ｂ）は従来の構造を示す図である。
【００４０】
従来の構成では、図４（ｂ）に示すように、パネル部10と壁面Ｗとを厚い粘着材130にて粘着固定していたため、パネル部10と壁面Ｗとの間に隙間が空いていた。このため、建物の内壁に何かを掛けて装飾を施す等の目的から壁面Ｗに釘Ｎを打つ場合、釘Ｎが壁面Ｗに入り込む量が少なく、釘Ｎを保持する強度が弱かった。しかし、本実施形態では、図４（ａ）に示すように、パネル部10と壁面Ｗとの隙間が小さいので、釘Ｎが壁面Ｗの深くまで到達する。このため、釘Ｎを保持する強度が強くなり、より重量のあるものを釘Ｎに掛けることができ、建物内部の装飾性を向上させることができる。
【００４１】
尚、内装パネルＰの面ファスナー30には、上述のように緩衝作用があるため、運搬時の梱包が容易であるという効果もある。運搬時に内装パネルＰを重ねると、内装パネルＰと内装パネルＰとの間に面ファスナー30が介在することとなるので、緩衝材の量を少なくすることができる。このため、運搬時の梱包が容易となる。
【００４２】
〔他の実施形態〕
前述の実施形態においては、面ファスナー30を縦方向に３本に配置したがこれに限るものではない。内装パネルＰのバリエーションを図５に示す。即ち、例えば図５（ａ）に示すように、縦方向に２本のみ面ファスナー30を配置してもよいし、図５（ｂ）や（ｃ）に示すように、パネル部10の４隅付近（図５（ｂ）参照）又はそれに加えて中央部（図５（ｃ）参照）に面ファスナー30を配置してもよい。もちろん、Ｘの字張りや全面張りでもよい。
【００４３】
前述の実施形態においては、補強紙よりも面ファスナーを上下方向に小さくするように構成したが、これに限るものではなく、補強紙の端部まで配置するとしてもよい。
【産業上の利用可能性】
【００４４】
本発明は、複数のパネルにより構成された内装パネルに一般的に使用することができる。即ち、パネル部の材質は問わない。
【図面の簡単な説明】
【００４５】
【図１】内装パネルＰの斜視図。
【図２】内装パネルＰを壁面Ｗに取付ける状態の側面図。
【図３】内装パネルＰを交換するときの状態説明図。
【図４】内装パネルＰと壁面Ｗとの関係を比較する図。
【図５】他の実施形態の説明図。
【符号の説明】
【００４６】
Ｎ…釘、Ｐ…内装パネル、Ｗ…壁面、10…パネル部、20…補強紙、21…溝、30…面ファスナー、31…パネル側接着層、32…ファスナー材層、33…ファスナー材層、34…壁側接着層、35…離型層、130…粘着材
【図１】
2007056517.tif 000003
【図２】
2007056517.tif 000004
【図３】
2007056517.tif 000005
【図４】
2007056517.tif 000006
【図５】
2007056517.tif 000007